【手続補正書】
【提出日】平成29年2月13日(2017.2.13)
【手続補正１】
【補正対象書類名】特許請求の範囲
【補正対象項目名】全文
【補正方法】変更
【補正の内容】
【特許請求の範囲】
【請求項１】
関心領域における血流分布を決定する非侵襲の方法であって、
対象の関心領域をコヒーレントな光源で照射するステップと、
前記関心領域の少なくとも２つのスペックル画像を順次取得するステップであり、前記対象の心臓の動きに同期して前記少なくとも２つのスペックル画像を取得するサブステップを含む、ステップと、
前記少なくとも２つの取得スペックル画像における画素強度の時間的変化に基づいて前記少なくとも２つの取得スペックル画像を電子的に処理することにより、レーザスペックルコントラスト撮像（ＬＳＣＩ）画像を生成し、主要な血管中の血流速度の分布を決定し、前記ＬＳＣＩ画像により前記関心領域の組織中の灌流分布を定量化するステップと
を含んでなり、
前記ＬＳＣＩ画像が、異なる血流速度の検出を可能にするものである、方法。
【請求項２】
前記対象の心臓の動きに同期して前記少なくとも２つのスペックル画像を取得するサブステップを含む、前記少なくとも２つのスペックル画像を順次取得するステップは、
前記対象のＥＫＧ心周期を電子的に監視するサブステップと、
スペックル画像の取得をＥＫＧ信号と電子的に同期させるサブステップと
をさらに含む、請求項１に記載の方法。
【請求項３】
前記関心領域は鼓動する心臓であり、前記方法は、前記ＥＫＧ信号を用いて心周期中の任意のタイミングで前記関心領域の瞬時的な血流マップ及び／又は灌流マップを生成することによりデータ取得を同期させるステップをさらに含む、請求項２に記載の方法。
【請求項４】
第１及び第２のタイミングで生成された瞬時的な血流マップ及び／又は灌流マップを比較することにより処置の有効性を判定するステップをさらに含む、請求項３に記載の方法。
【請求項５】
前記第１のタイミングは処置が施される前のタイミングであり、前記第２のタイミングは前記処置が施された後のタイミングである、請求項４に記載の方法。
【請求項６】
前記関心領域は鼓動する心臓であり、前記方法は、ＥＫＧ信号を用いて２回以上の心周期にわたる前記関心領域の平均的な血流マップ及び／又は灌流マップを生成することによりデータ取得を同期させるステップをさらに含む、請求項２に記載の方法。
【請求項７】
第１及び第２のタイミングで生成された平均的な血流マップ及び／又は灌流マップを比較することにより処置の有効性を判定するステップをさらに含む、請求項６に記載の方法。
【請求項８】
前記第１のタイミングは処置が施される前のタイミングであり、前記第２のタイミングは前記処置が施された後のタイミングである、請求項７に記載の方法。
【請求項９】
前記関心領域は前記対象の心臓以外の領域であり、前記方法は、前記ＥＫＧ信号を用いてデータ取得中の任意のタイミングで瞬時的な血流マップ及び／又は灌流マップを生成することによりデータ取得を同期させるステップをさらに含む、請求項２に記載の方法。
【請求項１０】
第１及び第２のタイミングで生成された瞬時的な血流マップ及び／又は灌流マップを比較することにより処置の有効性を判定するステップをさらに含む、請求項９に記載の方法。
【請求項１１】
前記第１のタイミングは処置が施される前のタイミングであり、前記第２のタイミングは前記処置が施された後のタイミングである、請求項１０に記載の方法。
【請求項１２】
前記関心領域は前記対象の心臓以外の領域であり、前記方法は、ＥＫＧ信号を用いて２つ以上のデータ取得期間にわたる平均的な血流マップ及び／又は灌流マップを生成することによりデータ取得を同期させるステップをさらに含む、請求項２に記載の方法。
【請求項１３】
第１及び第２のタイミングで生成された平均的な血流マップ及び／又は灌流マップを比較することにより処置の有効性を判定するステップをさらに含む、請求項１２に記載の方法。
【請求項１４】
前記第１のタイミングは処置が施される前のタイミングであり、前記第２のタイミングは前記処置が施された後のタイミングである、請求項１３に記載の方法。
【請求項１５】
前記コヒーレントな光源は、６００ｎｍ〜１１００ｎｍの波長を有する、請求項１に記載の方法。
【請求項１６】
関心領域における血流分布を決定する非侵襲の方法であって、
対象の関心領域をコヒーレントな光源で照射するステップと、
前記関心領域の少なくとも２つのスペックル画像を順次取得するステップであり、前記対象の心臓の動きに同期して前記少なくとも２つのスペックル画像を取得するサブステップを含む、ステップと、
前記少なくとも２つの取得スペックル画像における画素強度の時間的変化に基づいて前記少なくとも２つの取得スペックル画像を電子的に処理することにより、レーザスペックルコントラスト撮像（ＬＳＣＩ）画像を生成し、主要な血管中の血流速度の分布を決定し、前記ＬＳＣＩ画像により前記関心領域の組織中の灌流分布を定量化するステップと、
ＥＫＧ信号を用いてデータ取得を同期させるための、データ取得中の任意のタイミングでの前記関心領域の瞬時的な血流マップ及び／若しくは灌流マップ、並びに前記ＥＫＧ信号を用いてデータ取得を同期させるための、２つ以上のデータ取得期間にわたる平均的な血流マップ及び／若しくは灌流マップのうちの一方を生成するステップと、
第１及び第２のタイミングで生成された前記瞬時的な血流マップ及び／若しくは灌流マップ並びに前記平均的な血流マップ及び／若しくは灌流マップのうちの一方を比較することにより処置の有効性を判定するステップと
を含んでなる方法。
【請求項１７】
前記関心領域は鼓動する心臓である、請求項１６に記載の方法。
【請求項１８】
関心領域における血流分布を決定する非侵襲のシステムであって、
対象の関心領域を照射するように構成されたコヒーレントな光源と、
前記コヒーレントな光源と連通し、前記関心領域の少なくとも２つのスペックル画像を順次取得するように構成されたカメラであり、前記少なくとも２つのスペックル画像の取得が前記対象の心臓の動きと同期した、カメラと、
前記少なくとも２つの取得スペックル画像における画素強度の時間的変化を評価することにより、レーザスペックルコントラスト撮像（ＬＳＣＩ）画像を生成し、主要な血管中の血流速度の分布を決定し、前記ＬＳＣＩ画像により前記心臓の前記関心領域の組織中の灌流分布を定量化するように構成されたデータ処理回路と、を備え、
前記ＬＳＣＩ画像が、異なる血流速度の検出を可能にする、システム。
【請求項１９】
前記データ処理回路は、
前記対象のＥＫＧ心周期を電子的に監視し、
スペックル画像の取得を前記ＥＫＧ信号と電子的に同期させる、
ようにさらに構成された、請求項１８に記載のシステム。
【請求項２０】
前記関心領域は鼓動する心臓であり、前記システムは、前記ＥＫＧ信号を用いて心周期中の任意のタイミングで前記関心領域の瞬時的な血流マップ及び／又は灌流マップを生成することによりデータ取得を同期させるように構成されたモデリングモジュールをさらに備えた、請求項１９に記載のシステム。
【請求項２１】
前記データ処理回路は、第１及び第２のタイミングで生成された瞬時的な血流マップ及び／又は灌流マップを比較することにより処置の有効性を判定するようにさらに構成された、請求項２０に記載のシステム。
【請求項２２】
前記関心領域は鼓動する心臓であり、前記システムは、ＥＫＧ信号を用いて２回以上の心周期にわたる前記関心領域の平均的な血流マップ及び／又は灌流マップを生成することによりデータ取得を同期させるように構成されたモデリングモジュールをさらに備えた、請求項１９に記載のシステム。
【請求項２３】
前記データ処理回路は、第１及び第２のタイミングで生成された平均的な血流マップ及び／又は灌流マップを比較することにより処置の有効性を判定するようにさらに構成された、請求項２２に記載のシステム。
【請求項２４】
前記関心領域は前記対象の心臓以外の領域であり、前記システムが、前記ＥＫＧ信号を用いてデータ取得中の任意のタイミングで瞬時的な血流マップ及び／又は灌流マップを生成することによりデータ取得を同期させるように構成されたモデリングモジュールをさらに備えた、請求項１９に記載のシステム。
【請求項２５】
前記データ処理回路は、第１及び第２のタイミングで生成された瞬時的な血流マップ及び／又は灌流マップを比較することにより処置の有効性を判定するようにさらに構成された、請求項２４に記載のシステム。
【請求項２６】
前記関心領域は前記対象の心臓以外の領域であり、前記システムは、ＥＫＧ信号を用いて２つ以上のデータ取得期間にわたる平均的な血流マップ及び／又は灌流マップを生成することによりデータ取得を同期させるように構成されたモデリングモジュールをさらに備えた、請求項１９に記載のシステム。
【請求項２７】
前記データ処理回路は、第１及び第２のタイミングで生成された平均的な血流マップ及び／又は灌流マップを比較することにより処置の有効性を判定するようにさらに構成された、請求項２６に記載のシステム。
【請求項２８】
関心領域における血流分布を決定するコンピュータプログラムであって、
対象の関心領域をコヒーレントな光源で照射するように構成されたコンピュータ可読プログラムコードと、
前記関心領域の少なくとも２つのスペックル画像を順次取得するように構成されたコンピュータ可読プログラムコードであり、前記対象の心臓の動きに同期して前記少なくとも２つのスペックル画像を取得することを含む、コンピュータ可読プログラムコードと、
前記少なくとも２つの取得スペックル画像における画素強度の時間的変化に基づいて前記少なくとも２つの取得スペックル画像を電子的に処理することにより、レーザスペックルコントラスト撮像（ＬＳＣＩ）画像を生成し、主要な血管中の血流速度の分布を決定し、前記ＬＳＣＩ画像により前記関心領域の組織中の灌流分布を定量化するように構成されたコンピュータ可読プログラムコードと、
ＥＫＧ信号を用いてデータ取得を同期させるための、データ取得中の任意のタイミングでの前記関心領域の瞬時的な血流マップ及び／若しくは灌流マップ、並びに前記ＥＫＧ信号を用いてデータ取得を同期させるための、２つ以上のデータ取得期間にわたる平均的な血流マップ及び／若しくは灌流マップのうちの一方を生成するように構成されたコンピュータ可読プログラムコードと、
第１及び第２のタイミングで生成された前記瞬時的な血流マップ及び／若しくは灌流マップ並びに前記平均的な血流マップ及び／若しくは灌流マップのうちの一方を比較することにより処置の有効性を判定するように構成されたコンピュータ可読プログラムコードと
を含むコンピュータ可読プログラムコードを具現化した持続性コンピュータ可読記憶媒体を含む、コンピュータプログラム。
【請求項２９】
関心領域における血流分布を決定する非侵襲の方法であって、
対象の関心領域をコヒーレントな光源で照射するステップと、
前記関心領域の少なくとも２つのスペックル画像を順次取得するステップであり、心電図（ＥＫＧ）に同期して前記少なくとも２つのスペックル画像を取得するサブステップを含む、ステップと、
ＥＫＧに基づくタイミングによって、少なくとも２つのスペックル画像を選択するステップと、
前記選択した画像を処理することにより、時間的コントラストアルゴリズム及び空間的コントラストアルゴリズムのうちの少なくとも一方を用いて前記関心領域における瞬時的／平均的な流速（センチメートル／秒）を決定するステップであり、データ取得及び分析中の任意のタイミングで前記ＥＫＧを用いることによって、処理するフレームの選択、１回若しくは複数回のＥＫＧ周期における瞬時的な流速の位置付け、並びに／又は平均的な流速の分析の開始タイミング及び終了タイミングの指定を行う、ステップと、
前記瞬時的／平均的な流速の画像を分析モデルに入力することによって、主要な血管中の流量（立方センチメートル／秒）マップ及び微小血管構造中の灌流マップを生成するステップと、
血流及び圧力の方向を生成するステップと
を含んでなる方法。